(57)【要約】【課題】  ビデオ/オーディオ分割及び独立再生とシェアリングシステム及びその方法を提供する。【解決手段】自動車に応用し、ビデオ(Ｖ)/オーディオ(Ａ)デバイスはマイクロプロセッサーを備え、保存装置は使用者が擁するデジタルＶ/Ａデータを保存し、第二Ｖ/Ａデバイスに再生させ、ネットワークインターフェースは一項以上のデジタルＶ/Ａデータ再生サービスを提供し、若干の第二Ｖ/ＡデバイスはデジタルＶ/Ａデコーディング装置、ネットワークインターフェース、表示パネル或いはＶ/Ａアウトプットインターフェース、操作インターフェースを備え、操作インターフェース上に再生キーとシェアキーを備え、第二Ｖ/Ａデバイスは単独で隨時Ｖ/Ａデバイスに対してサービス請求を提出し、Ｖ/Ａ再生或いは第二Ｖ/Ａデバイス等の本体関連サービスを獲得し、シェアキーを押し他の第二Ｖ/Ａデバイスシェアリングの表示パネルが執行するサービス項目を呼び出す。【選択図】  図２
2008289128.tif 000002
【特許請求の範囲】
【請求項１】
ビデオ/オーディオ分割及び独立再生とシェアリングシステムはビデオ/オーディオデバイス、若干の第二ビデオ/オーディオデバイスを含み、
該ビデオ/オーディオデバイスはマイクロプロセッサー、保存装置及びネットワークインターフェースを備え、少なくとも一項のデジタルビデオ/オーディオデータ再生サービスを提供することができ、
該若干の第二ビデオ/オーディオデバイスはデジタルビデオ/オーディオデコーディング装置、ネットワークインターフェース、表示パネル或いはビデオ/オーディオアウトプットインターフェース及び操作インターフェースを備え、それは該ネットワークインターフェースを経由し、該ビデオ/オーディオデバイスに連接可能で、しかも該操作インターフェース上には再生キーとシェアキーを備え、
こうして該第二ビデオ/オーディオデバイスは単独で、隨時該ビデオ/オーディオデバイスに対してサービス請求を提出することができ、ビデオ/オーディオ再生、或いは該第二ビデオ/オーディオデバイスなどの本体関連サービスを得ることができ、該シェアキーを押すことで、他の第二ビデオ/オーディオデバイスシェアリングの表示パネルが執行するサービス項目を呼び出すことができることを特徴とするビデオ/オーディオ分割及び独立再生とシェアリングシステム。
【請求項２】
前記ビデオ/オーディオデバイスはさらにハウジング、印刷回路板を含み、
該ハウジングは上ハウジング及び下ハウジングを備え、該上ハウジング及び該下ハウジングは容置空間を形成し、しかも該上ハウジングの前端には開口を備え、
該印刷回路板は該容置空間中に設置し、以下の部品を設置し、
保存装置は該開口を経て該容置空間中に挿入設置し、少なくとも一個のデジタルビデオ/オーディオファイルを保存し、
マイクロプロセッサーは該印刷回路板上に設置し、しかも該保存装置に接続し、該ビデオ/オーディオデバイスの作動を制御することを特徴とする請求項１記載のビデオ/オーディオ分割及び独立再生とシェアリングシステム。
【請求項３】
前記上ハウジングの両側にはさらに散熱フィンを備え、該ハウジングの散熱を加速することができ、該下ハウジングはさらにを挿入スロット、退出ボタン及び連接板を含み、
該挿入スロット及び退出ボタンは該開口に露出し、該挿入スロットには該保存装置を挿入することができ、該退出ボタンは該保存装置を退出させることができ、該連接板は該挿入スロットの後側に位置し、しかも該下ハウジング上に固設し、その上にはさらに連接器を備え、該保存装置と連接させることを特徴とする請求項２記載のビデオ/オーディオ分割及び独立再生とシェアリングシステム。
【請求項４】
前記保存装置はダイナミックプリング可能なハードディスクドライブ或いはシリコンドライブで、該操作インターフェースはリモコン、タッチパネル或いはボタンで、該ビデオ/オーディオデバイスのネットワークインターフェース及び第二ビデオ/オーディオデバイスのネットワークインターフェースはともに無線ネットワーク或いは有線ネットワークであることを特徴とする請求項１記載のビデオ/オーディオ分割及び独立再生とシェアリングシステム。
【請求項５】
前記無線ネットワークインターフェースはブルートゥース(Bluetooth)、802.11x WLANネットワーク、WiMax、Zigbee、或いは他の類似技術で、該有線ネットワークインターフェースはRJ-11、RJ-45/PoE、Power Line(HomePlug AV)、 USB ケーブル、1394 ケーブル、 MOST、 IDB-1394或いは他の類似技術であることを特徴とする請求項４記載のビデオ/オーディオ分割及び独立再生とシェアリングシステム。
【請求項６】
前記表示パネルはLCD或いは他の平面モニターで、該ビデオ/オーディオアウトプットインターフェースはAV端子、S端子、HDMI端子VGA端子RGB端子或いは類似インターフェースで、該再生とシェアリング機能サービスはさらに音楽再生サービス、ラジオ放送サービス、ゲームサービス、ナビゲーションサービス、デジタルテレビ再生サービス、ビデオ再生サービス及び写真再生サービスを含むことを特徴とする請求項１記載のビデオ/オーディオ分割及び独立再生とシェアリングシステム。
【請求項７】
前記第二ビデオ/オーディオデバイス表示パネル或いは外付けモニター上にはナビゲーション地図、デジタルテレビ、ビデオ、写真、音楽、ゲーム、ラジオ放送のメニューデザインを表示し、こうして使用者は該操作インターフェースを通して執行しようとするサービス項目を選択することができ、該操作インターフェース上のシェアキーを通して他の第二ビデオ/オーディオデバイスの使用者と該サービス項目をシェアすることができ、該デジタルビデオ/オーディオデコーディング装置は高速マイクロプロセッサーソフトウエアによりデジタルビデオ/オーディオデコーディングを行い、或いはマイクロプロセッサーは特有のビデオ/オーディオデコーディングを備える電子回路のデコーディングチップであることを特徴とする請求項１記載のビデオ/オーディオ分割及び独立再生とシェアリングシステム。
【請求項８】
前記デジタルビデオ/オーディオファイルはJPEG、MPEG、H.264、WMV、MP3、WMA、地図データ或いは他の類似のデジタルビデオ/オーディオフォーマットを備えることを特徴とする請求項２記載のビデオ/オーディオ分割及び独立再生とシェアリングシステム。
【請求項９】
前記第二ビデオ/オーディオデバイス再生キーが押されると、ビデオ/オーディオデバイスは該第二ビデオ/オーディオデバイスが要求するビデオ/オーディオデータを該第二ビデオ/オーディオデバイスに伝送し、
該各第二ビデオ/オーディオデバイスはみな独立したデジタルビデオ/オーディオデコーディング装置を備え、ビデオ/オーディオデバイスが伝送して来たビデオ/オーディオデータをデコーディング後、表示パネル或いはビデオ/オーディオアウトプットインターフェースに表示し、ビデオ/オーディオ分割及び独立再生の目的を達成することを特徴とする請求項１記載のビデオ/オーディオ分割及び独立再生とシェアリングシステム。
【請求項１０】
自動車ビデオ/オーディオデータ再生シェアリング方法は以下のステップを含み、
請求項１記載のビデオ/オーディオデバイスを提供し、
若干の請求項１記載の第二ビデオ/オーディオデバイスを提供し、
ある第二ビデオ/オーディオデバイスの使用者は該シェアキーを押し、ビデオ/オーディオデータ再生のシェアリングを提供し、
他の第二ビデオ/オーディオデバイスの表示パネル上にはそれぞれ「シェアリング」或いは類似の提示が出現し、
もし他の第二ビデオ/オーディオデバイスの使用者が該「シェアリング」提示を拒絶するなら、該「シェアリング」提示はある特定の時間後に消失し、
もし他の第二ビデオ/オーディオデバイスの使用者が該「シェアリング」提示を受け入れるなら、該シェアキーを押し、該ビデオ/オーディオデバイスは「シェアリング」を提出した第二ビデオ/オーディオデバイスが再生中のビデオ/オーディオデータを該「シェアリング」を受け入れた第二ビデオ/オーディオデバイスに伝送し、その表示パネル上に該「シェアリング」を提出した第二ビデオ/オーディオデバイスの表示パネルと相同のビデオ/オーディオデータを再生することを特徴とする自動車ビデオ/オーディオデータ再生シェアリング方法。
【請求項１１】
カーナビゲーション地図シェアリング方法は以下のステップを含み、
請求項１記載のビデオ/オーディオデバイスを提供し、
若干の請求項１記載の第二ビデオ/オーディオデバイスを提供し、
ある第二ビデオ/オーディオデバイスの使用者は該シェアキーを押し、ナビゲーション地図のシェアリングを提供し、
他の第二ビデオ/オーディオデバイスの表示パネル上にはそれぞれ「シェアリング」或いは類似の提示が出現し、
もし他の第二ビデオ/オーディオデバイスの使用者が該「シェアリング」提示を拒絶するなら、該「シェアリング」提示はある特定の時間後に消失し、
もし他の第二ビデオ/オーディオデバイスの使用者が該「シェアリング」提示を受け入れるなら、該シェアキーを押し、ビデオ/オーディオデバイスは「シェアリング」を提出した第二ビデオ/オーディオデバイスが使用中のナビゲーション地図とデータを該「シェアリング」を受け入れた第二デバイスに伝送し、その表示パネル上に「シェアリング」を提出した第二ビデオ/オーディオデバイスの表示パネルと相同のナビゲーション地図データを表示することを特徴とするカーナビゲーション地図シェアリング方法。
【請求項１２】
第二ビデオ/オーディオデバイスシャットダウン前状態を記録可能な方法は以下のステップを含み、
請求項１記載のビデオ/オーディオデバイスを提供し、
若干の請求項１記載の第二ビデオ/オーディオデバイスを提供し、
該第二ビデオ/オーディオデバイスの使用者は該再生キーを押し、該ビデオ/オーディオデバイスに対して該ビデオ/オーディオデータ再生サービスを請求し、
該ビデオ/オーディオデバイスはビデオ/オーディオデータ再生サービスを開始し、サービス監視を起動し、該第二ビデオ/オーディオデバイスの再生状態を記録し続け、  保存装置に保存し、
該第二ビデオ/オーディオデバイスはシャットダウン後の再起動時に、該ビデオ/オーディオデバイスに対して前回の該第二ビデオ/オーディオデバイスのシャットダウン点から該ビデオ/オーディオデータ再生サービスを継続するよう自動的に請求し、該ビデオ/オーディオデバイスは該監視記録から該第二ビデオ/オーディオデバイスのサービス監視記録を受け取り、該サービス監視記録に基づき、該第二ビデオ/オーディオデバイスの前回シャットダウン点のビデオ/オーディオデータ再生サービスを継続し提供することを特徴とする第二ビデオ/オーディオデバイスシャットダウン前状態を記録可能な方法。
【発明の詳細な説明】
【技術分野】
【０００１】
本発明はビデオ/オーディオ分割及び独立再生とシェアリングシステム及びその方法に関する。特に自動車中に応用するビデオ/オーディオ分割及び独立再生とシェアリングシステム及びその方法で、各第二ビデオ/オーディオデバイスの使用者は単独で、隨時ビデオ/オーディオデバイスに対してサービス請求をすることができ、ビデオ/オーディオ再生、或いは該第二ビデオ/オーディオデバイスなどの本体関連サービスを得ることができ、該シェアキーを押すことで、他の第二ビデオ/オーディオデバイスシェアリングの表示パネルが執行するサービス項目を呼び出すことができるビデオ/オーディオ分割及び独立再生とシェアリングシステム及びその方法に係る。
【背景技術】
【０００２】
公知の自動車ビデオ/オーディオ再生システムの連接指示図である図１に示すように、DVD或いはDTV(デジタルテレビ)などの公知の自動車ビデオ/オーディオ再生システムは通常、本体80及び数個の表示パネル90を備える。該表示パネル90は導線95を経て該本体80に連接し、該本体80が伝送するNTSC或いはPALなどのビデオ/オーディオ信号を受け取り、再生する。
しかし、上記公知の自動車ビデオ/オーディオ再生システムの表示パネル90はそれぞれのコンテンツを独立表示することができないため、使用者A及び使用者BはDVDビデオ或いはデジタル放送などの相同のビデオ/オーディオ信号源を観賞しなければならない。なぜなら該本体80は単一のビデオ/オーディオ信号源だけをデコードするため、使用者A及び使用者Bは異なるビデオ/オーディオ信号源を観賞することができないからである。
【特許文献１】特開２００３−１７８５５３号公報
【特許文献２】特開２００１−１３５７３９号公報
【発明の開示】
【発明が解決しようとする課題】
【０００３】
本発明が解決しようとする第一の課題は、有線或いは無線ネットワークインターフェースを利用し、デジタルビデオ/オーディオファイルを各表示装置に伝送し、独立デコードを行い、これにより各表示装置の使用者は必要に応じて、その指定するデジタルビデオ/オーディオファイルを再生し、或いは他の使用者とその現在観賞しているメディアコンテンツをシェアすることができるビデオ/オーディオ分割及び独立再生とシェアリングシステム及びその方法を提供することで、
本発明が解決しようとする第二の課題は、車両の運転者はそのナビゲーションデータを他の使用者とシェアすることができ、或いは他の使用者により運転者の必要に応じてナビゲーションデータを計画し、結果を運転者とシェアし、運転の安全性を向上させることができるカーナビゲーション地図シェアリング方法を提供することで、
本発明が解決しようとする第三の課題は、第二ビデオ/オーディオデバイスシャットダウン時の状態を記録可能で、再起動時に、該第二ビデオ/オーディオデバイスはその元の再生画面を回復することができるビデオ/オーディオシステムシャットダウン前状態を記録可能な方法を提供することである。
【課題を解決するための手段】
【０００４】
上記課題を解決するため、本発明は下記のビデオ/オーディオ分割及び独立再生とシェアリングシステム及びその方法を提供する。
本発明のビデオ/オーディオ分割及び独立再生システムは以下のステップを含み、
ビデオ/オーディオデバイスを提供し、それはマイクロプロセッサー、保存装置、ネットワークインターフェースを備え、
該保存装置は使用者が擁する各種デジタルビデオ/オーディオデータを保存し、第二ビデオ/オーディオデバイスに再生させ、
該ネットワークインターフェースは第二ビデオ/オーディオデバイスと連線し、少なくとも一項のビデオ/オーディオ再生サービス項目を提供することができ、
該若干の第二ビデオ/オーディオデバイスはデジタルビデオ/オーディオデコーディング装置、ネットワークインターフェース、表示パネル或いはビデオ/オーディオアウトプットインターフェース、操作インターフェースを備え、しかも該操作インターフェース上には再生キーを備え、
該第二ビデオ/オーディオデバイスの使用者が該再生キーを押し請求すると、該ビデオ/オーディオデバイスは該使用者の指示に従いデジタルビデオ/オーディオデータを該第二ビデオ/オーディオデバイスに伝送し、デジタルビデオ/オーディオデコーディング装置を経てデコーディング後再生し、異なる使用者はその第二ビデオ/オーディオデバイス上のこの方式により、他の使用者と相同或いは異なるビデオ/オーディオデータを再生することができ、こうして該ビデオ/オーディオデバイス上におけるビデオ/オーディオデータ分割及び独立再生の目的を達成することができ、
上記目的を達成するため、本発明のビデオ/オーディオデータ再生シェアリング方法は、現在観賞しているビデオ、音楽、写真等のビデオ/オーディオデータコンテンツを他の使用者とシェアリングすることができ、それは以下のステップを含み、
ビデオ/オーディオデバイスを提供し、それはマイクロプロセッサー、保存装置、ネットワークインターフェースを備え、ビデオ、音楽、写真などの少なくとも一項のビデオ/オーディオ再生サービス項目を提供することができ、
若干の第二ビデオ/オーディオデバイスを提供し、それはリモコン、タッチパネル或いはボタンなどのデジタルビデオ/オーディオデコーディング装置、ネットワークインターフェース、表示パネル或いはビデオ/オーディオアウトプットインターフェース及び操作インターフェースを備え、しかも該操作インターフェース上にはシェアキーを備え、
使用者は該シェアキーを押し、他の第二ビデオ/オーディオデバイスに該第二デバイスが現在再生しているコンテンツの同時シェアリングを提供し、
他の第二ビデオ/オーディオデバイスの表示パネル上にはそれぞれ「シェアリング」或いは類似の提示が出現し、
もし他の第二ビデオ/オーディオデバイスの使用者が該「シェアリング」提示を拒絶するなら、該「シェアリング」提示はある特定の時間後に消失し、
もし他の第二ビデオ/オーディオデバイスの使用者が該「シェアリング」提示を受け入れるなら、該シェアキーを押し、ビデオ/オーディオデバイスは「シェアリング」を提出した使用者が再生中のビデオ/オーディオデータを該「シェアリング」を受け入れた第二デバイスに伝送し、その表示パネル上に「シェアリング」を提出した使用者の表示パネルと相同のビデオ/オーディオコンテンツを表示し、
上記目的を達成するため、本発明のカーナビゲーション地図シェアリング方法は以下のステップを含み、
ビデオ/オーディオデバイスを提供し、それはマイクロプロセッサー、保存装置、ネットワークインターフェースを備え、少なくとも一項のナビゲーション地図サービス項目を提供可能で、
若干の第二ビデオ/オーディオデバイスを提供し、それはデジタルビデオ/オーディオデコーディング装置、ネットワークインターフェース、表示パネル或いはビデオ/オーディオアウトプットインターフェース、操作インターフェースを備え、しかも該操作インターフェース上にはシェアキーを備え、
運転者は該シェアキーを押し、ナビゲーション地図のシェアリングを提供し、
他の第二ビデオ/オーディオデバイスの表示パネル上にはそれぞれ「シェアリング」或いは類似の提示が出現し、
もし他の第二ビデオ/オーディオデバイスの使用者が該「シェアリング」提示を拒絶するなら、該「シェアリング」提示はある特定の時間後に消失し、
もし他の第二ビデオ/オーディオデバイスの使用者が該「シェアリング」提示を受け入れるなら、該シェアキーを押し、ビデオ/オーディオデバイスは運転使用中のナビゲーション地図とデータを該第二デバイスに伝送し、その表示パネル上に該運転者の表示パネルと相同のナビゲーション地図データを表示し、
一方、他の乗客はサーチとナビゲーション路線計画後に該シェアキーを押し、ナビゲーション地図を運転者に提供することができ、運転者は該シェアキーを押し、既に計画されたナビゲーション地図を受け取り、こうして運転者の路線ナビゲーションを助け、運転者が運転時に路線計画を操作する危険性を回避することができ、
上記目的を達成するため、本発明ビデオ/オーディオシステムシャットダウン前状態を記録可能な方法は以下のステップを含み、
ビデオ/オーディオデバイスを提供し、それはマイクロプロセッサー、保存装置、ネットワークインターフェースを備え、少なくとも一項のビデオ/オーディオデータ再生サービス項目を提供可能で、
若干の第二ビデオ/オーディオデバイスを提供し、デジタルビデオ/オーディオデコーディング装置、ネットワークインターフェース、表示パネル或いはビデオ/オーディオアウトプットインターフェース、操作インターフェースを備え、しかも該操作インターフェース上には再生キーを備え、
使用者は該再生キーを押し、該ビデオ/オーディオデバイスに対して該ビデオ/オーディオデータ再生サービスを請求し、
該ビデオ/オーディオデバイスはビデオ/オーディオデータ再生サービスのサービス監視開始を起動し、該第二ビデオ/オーディオデバイスの再生状態を記録し続け、保存装置に保存し、
該第二ビデオ/オーディオデバイスのシャットダウン後再起動時に、該ビデオ/オーディオデバイスに対して前回の該第二ビデオ/オーディオデバイスのシャットダウン点から該ビデオ/オーディオデータ再生サービスを継続するよう自動的に請求し、該ビデオ/オーディオデバイスは該監視記録から該第二ビデオ/オーディオデバイスのサービス監視記録を受け取り、該サービス監視記録に基づき、該第二ビデオ/オーディオデバイスの前回シャットダウン点のビデオ/オーディオデータ再生サービスを継続し提供する。
【発明の効果】
【０００５】
上記のように、本発明のビデオ/オーディオシェアリングシステム及びその方法は有線或いは無線ネットワークインターフェースを利用し、デジタルビデオ/オーディオファイルを本体から各第二デバイスに伝送し、これにより各第二デバイスの使用者は必要に応じて他の使用者と、その現在観賞しているメディアコンテンツをシェアすることができる。この他、本発明のナビゲーションデータシェアリング方法により、車両の運転者はそのナビゲーションデータを他の使用者とシェアすることができ、他の使用者は、サーチ及びナビゲーションデータを計画し、結果を運転者に伝送しシェアすることができる。これにより運転の安全性を向上させることができ、公知の自動車ビデオ/オーディオ再生装置の欠点を改善することができる。
【発明を実施するための最良の形態】
【０００６】
本発明分割及び独立再生とシェアリングシステムのブロックチャートである図２、本発明別種の実施例の分割及び独立再生とシェアリングシステムのブロックチャートである図３、本発明ビデオ/オーディオデバイスの組合せ指示図である図４、本発明操作インターフェースの指示図である図５に示すように、本発明のビデオ/オーディオ分割及び独立再生とシェアリングシステムは自動車中に応用し、ビデオ/オーディオデバイス10及び若干の第二ビデオ/オーディオデバイス30を含む。
該ビデオ/オーディオデバイス10はマイクロプロセッサー19、保存装置11、ネットワークインターフェース12を備える。それは少なくとも一項のビデオ/オーディオデータ再生サービスを提供することができる。
本実施例中で、該ビデオ/オーディオデバイス10が提供可能な再生サービスは以下を含む。すなわち、音楽再生サービス、ラジオ放送サービス、ナビゲーションサービス、デジタルテレビ再生サービス、ビデオ再生サービス及び写真再生サービスである。
該ネットワークインターフェース12は無線ネットワーク或いは有線ネットワークで、該ネットワークインターフェース12が無線ネットワークである時には、それはブルートゥース(Bluetooth)、802.11x WLANネットワーク、WiMax、Zigbee、或いは他の類似技術である。該ネットワークインターフェース12が有線ネットワークである時には、それはRJ-11、RJ-45/PoE、Power Line(HomePlug AV)、USB ケーブル、1394ケーブル、MOST、IDB-1394或いは他の類似技術である。
【０００７】
該第二ビデオ/オーディオデバイス30はデジタルビデオ/オーディオデコーディング装置34、ネットワークインターフェース31、表示パネル32(図２参照)或いはビデオ/オーディオアウトプットインターフェース35(図３参照)及び操作インターフェース33を備える。
該ビデオ/オーディオアウトプットインターフェース35は例えばAV端子、S端子、HDMI端子、VGA端子、RGB端子或いは類似インターフェース(但しこれに限定するものではない)で、LCDモニター36を接続することができる。
該操作インターフェース33は例えばリモコン、タッチパネル或いはボタン(但しこれに限定するものではない)で、本実施例中では、リモコンを例として説明する。但し、これに限定するものではない。しかも該操作インターフェース33上には少なくとも１個のシェアキー331と再生キー3332を備える。
該デジタルビデオ/オーディオデコーディング装置34は高速マイクロプロセッサーで、ソフトウエアによりデジタルビデオ/オーディオデコーディングを行い、或いはマイクロプロセッサーのために特製のビデオ/オーディオデコーディング電子回路のデコーディングチップを備える。
該第二ビデオ/オーディオデバイス30は該ネットワークインターフェース31を経由し該ビデオ/オーディオデバイス10に連接可能である。該ネットワークインターフェース31は無線ネットワーク或いは有線ネットワークで、該ネットワークインターフェース31が無線ネットワークである時には、それはブルートゥース(Bluetooth)、802.11x WLANネットワーク、WiMax、Zigbee、或いは他の類似技術である。該ネットワークインターフェース31が有線ネットワークである時には、それはRJ-11、RJ-45/PoE、Power Line(HomePlug AV)、USB ケーブル、1394ケーブル、 MOST、IDB-1394或いは他の類似技術である。この他、該ビデオ/オーディオデバイス10のネットワークインターフェース12と該第二ビデオ/オーディオデバイス30のネットワークインターフェース31は相同のネットワークプロトコルを備え、本実施例中では、有線のRJ-45/PoEネットワーク例として説明するが、これに限定するものではない。該表示パネル32はLCD或いは他の平面モニターで、自動車の中央制御ディスプレー或いは座席の後端に設置し、使用者が観賞可能とする。該第二ビデオ/オーディオデバイス30はさらにデジタルビデオ/オーディオデコーディング装置34、ネットワークインターフェース31、ビデオ/オーディオアウトプットインターフェース35とLCDモニター36及び操作インターフェース33に外付けする装置を備える。
【０００８】
図４に示すように、本発明のビデオ/オーディオデバイス10はさらに保存装置11、ハウジング15、印刷回路板16及びマイクロプロセッサー19を含む。
該ハウジング15は上ハウジング151及び下ハウジング152を備え、しかも該上ハウジング151及び該下ハウジング152は容置空間153を形成し、しかも該上ハウジング151前端には開口1512を備える。該ハウジング15は金属アルミニウムをプレス方式により形成するなど、導熱材質により製造することが望ましいが、これに限定するものではない。しかも該上ハウジング151の両側にはさらに散熱フィン1513を備え、該ハウジング15の散熱を加速することができる。
この他、該下ハウジング152の底部にはさらに挿入スロット1521、退出ボタン1522及び連接板1523を含む。
該挿入スロット1521及び該退出ボタン1522は該開口1512に露出し、該挿入スロット1521には該保存装置11を挿入することができる。該退出ボタン1522は該保存装置11を退出させることができ、該連接板1523は該挿入スロット1521の後側に位置し、しかも該下ハウジング152上に固設し、その上にはさらに連接器1524を備え、該保存装置11と連接させる。
該印刷回路板16は該容置空間153中に設置し、該マイクロプロセッサー19の搭載に用いる。
該保存装置11は該開口1512を経由し該容置空間153中に挿入設置され、少なくとも一個のデジタルビデオ/オーディオファイルを保存することができる。該ビデオ/オーディオファイルはJPEG、MPEG、H.264、WMV、MP3、WMA、地図データ或いは他のフォーマットを備える。
該マイクロプロセッサー19は該印刷回路板16上に設置し、しかも該保存装置11に接続し、該ビデオ/オーディオデバイス10の作動を制御する。
【０００９】
図５に示すように、本発明の操作インターフェース33は少なくともシェアリングを提供或いは受け取るシェアキー331、若干の数字キー332及び方向キー3331及び再生キー3332などの他のビデオ/オーディオ操作キー333及びリターンキー335を備える。
該シェアキー331により、使用者は本発明デジタルコンテンツシェアリングのメカニズムを起動することができる。該シェアキー331が押されると、他の第二ビデオ/オーディオデバイス30の表示パネル32或いは36上には「シェアリング」(Sharing)或いは類似の提示が出現する。他の使用者は例えば5秒以内などの若干秒以内において、該シェアキー331を押し、該項再生サービスのシェアリングを受け入れる。例えば5秒などの特定の時間を超過しても該シェアキー331を押さなければ、該「シェアリング」(Sharing)或いは類似の提示は消失し、該表示パネル32或いは36はその元のサービスのコンテンツ表示を維持する。詳細は以下に説明する。
【００１０】
次に図６は本発明自動車ビデオ/オーディオデータ分割及び独立再生方法のフローチャートで、図7は発明自動車ビデオ/オーディオデバイスデータ分割及び独立再生の実体指示図である。
図６に示すように、本発明自動車ビデオ/オーディオデータ分割及び独立再生の方法は以下のステップを含む。
ビデオ/オーディオデバイス10を提供し、少なくとも一項のビデオ/オーディオデータシェアリングサービス項目を提供することができる(ステップ１)。
若干の第二ビデオ/オーディオデバイス30を提供する(ステップ２)。
該第二ビデオ/オーディオデバイス30の使用者が該再生キー3332を押すと、該ビデオ/オーディオデバイス10は該使用者の指示に従いデジタルビデオ/オーディオデータを該第二ビデオ/オーディオデバイス30に伝送し、そのデジタルビデオ/オーディオデコーディング装置34により受け取ったデジタルビデオ/オーディオデータデコーディングを影像と音声にした後、該表示パネル32或いはビデオ/オーディオアウトプットインターフェース35が外付けするLCDモニター36において再生する。異なる使用者は、その第二ビデオ/オーディオデバイス30上においてこの方式により、他の使用者と相同或いは異なるビデオ/オーディオデータを再生することができ、こうして該ビデオ/オーディオデバイス10上のビデオ/オーディオデータを異なる第二ビデオ/オーディオデバイス30において分割及び独立再生する目的を達成することができる(ステップ３)。
【００１１】
該ステップ１中において、該ビデオ/オーディオデバイス10を提供し、それはさらにマイクロプロセッサー19、保存装置11、ネットワークインターフェース12を備え、少なくとも一項のビデオ/オーディオデータシェアリングサービス項目を提供することができる。
該ネットワークインターフェース12は無線ネットワーク或いは有線ネットワークで、該ネットワークインターフェース12が無線ネットワークである時には、それはブルートゥース(Bluetooth)、802.11x WLANネットワーク、WiMax、Zigbee或いは他の類似技術である。
該ネットワークインターフェース12が有線ネットワークである時には、それはRJ-11、RJ-45/PoE、Power Line(HomePlug AV)、 USB ケーブル、1394 ケーブル、 MOST、 IDB-1394或いは他の類似技術者である。
該ビデオ/オーディオデータはビデオデータ、写真データ、音楽データ、デジタルテレビデータ或いは放送データである。
この他、該ビデオ/オーディオデバイス10さらにハウジング15、印刷回路板16、保存装置11、マイクロプロセッサー19を備える。その詳情は上記説明を参照されたい。
【００１２】
該ステップ２中において、若干の第二ビデオ/オーディオデバイス30を提供し、それはデジタルビデオ/オーディオデコーディング装置34、ネットワークインターフェース31、表示パネル32、或いはビデオ/オーディオアウトプットインターフェース35が外付けするLCDモニター36及び操作インターフェース33を備える。しかも該操作インターフェース33上には再生キー3332を備える。
該ネットワークインターフェース31は無線ネットワーク或いは有線ネットワークで、それは該ネットワークインターフェース12と相同のプロトコルを備える。
該表示パネル32或いはビデオ/オーディオアウトプットインターフェース35の外付けLCDモニター36は、例えばLCD或いは他の平面モニター(但しこれに限定しない)で、自動車の中央制御ディスプレー或いは座席の後端に設置し、使用者が観賞可能とする。
該操作インターフェース33はリモコン、タッチパネル或いはボタンで、本実施例中では、リモコンを例として説明するが、これに限定するものではない。
該再生キー3332により、使用者は本発明自動車ビデオ/オーディオデータ分割及び独立再生メカニズムを起動することができる。
【００１３】
図８に示すように、本発明のビデオ/オーディオデータ再生シェアリング方法により、現在観賞しているビデオ、音楽、写真、ラジオ放送、デジタルテレビ等のメディアビデオ/オーディオデータコンテンツを他の使用者とシェアすることができる。
それは以下のステップを含む。
ビデオ/オーディオデバイス10を提供する (ステップ１)。
若干の第二ビデオ/オーディオデバイス30を提供する (ステップ２)。
使用者Aは該シェアキー331を押す(ステップ３)。
他の第二ビデオ/オーディオデバイス30の表示パネル32或いは外付けモニター36上にはそれぞれ「シェアリング」或いは類似の提示が出現する(ステップ４)。
もし他の第二ビデオ/オーディオデバイス30の使用者が該「シェアリング」提示を拒絶するなら、該「シェアリング」提示はある特定の時間後に消失する(ステップ５)。
もし他の第二ビデオ/オーディオデバイス30の使用者が該「シェアリング」提示を受け入れるなら、該シェアキー331を押す。すると該ビデオ/オーディオデバイスはシェアリングを提出した使用者Aが再生中のビデオ/オーディオデータを該「シェアリング」を受け入れた第二デバイスに伝送し、その表示パネル32或いは外付けモニター36上には該使用者Aの表示パネル32と相同のビデオ、音楽、写真、ラジオ放送或いはデジタルテレビなどのサービスデータが表示される(ステップ６)。
【００１４】
該ステップ１中において、ビデオ/オーディオデバイス10を提供し、それはマイクロプロセッサー19、保存装置11、ネットワークインターフェース12を備え、ビデオ、音楽、写真、デジタルテレビ放送の再生などの少なくとも一項のシェアリングサービス項目を提供することができる。
該ネットワークインターフェース12は無線ネットワーク或いは有線ネットワークで、該ネットワークインターフェース12が無線ネットワークである時には、それはブルートゥース(Bluetooth)、802.11x WLANネットワーク、WiMax、Zigbee或いは他の類似技術である。
該ネットワークインターフェース12が有線ネットワークである時には、それはRJ-11、RJ-45/PoE、Power Line(HomePlug AV)、 USB ケーブル、1394 ケーブル、 MOST、 IDB-1394或いは他の類似技術である。
この他、該ビデオ/オーディオデバイス10はさらにハウジング15、印刷回路板16、保存装置11、マイクロプロセッサー19を備える。その詳情は上記説明を参照されたい。
【００１５】
該ステップ２中において、若干の第二ビデオ/オーディオデバイス30を提供し、それはデジタルビデオ/オーディオデコーディング装置34、ネットワークインターフェース31、表示パネル32或いはビデオ/オーディオアウトプットインターフェース35の外付けLCDモニター36及び操作インターフェース33を備える。しかも該操作インターフェース33上にはシェアキー331を備える。
該ネットワークインターフェース31は無線ネットワーク或いは有線ネットワークで、それは該ネットワークインターフェース12と相同のプロトコルを備える。
該一表示パネル32或いはビデオ/オーディオアウトプットインターフェース35の外付けLCDモニター36は例えばLCD或いは他の平面モニター(但しこれに限定するものではない)で、自動車の中央制御ディスプレー或いは座席の後端に設置し、使用者が観賞可能とする。
該操作インターフェースはリモコン、タッチパネル或いはボタンで、本実施例中では、リモコンを例として説明するが、これに限定するものではない。
該シェアキー331により使用者はビデオ、音楽、写真、ラジオ或いはデジタルテレビ放送の再生などの本発明のシェアリングメカニズムを起動することができる。
【００１６】
該ステップ３中において、使用者Aは該シェアキー331を押し、本発明のシェアリングメカニズムを起動する。これにより他の使用者は直ちに使用者Aと相同のビデオ、音楽、写真、ラジオ或いはデジタルテレビ放送などのビデオ/オーディオ再生を観賞することができる。
該ステップ４中において、他の第二ビデオ/オーディオデバイス30の表示パネル32或いは外付けモニター36上にはそれぞれ「シェアリング」(Sharing)或いは類似の提示が表示され、他の使用者に対して該シェアリングを受け入れ、相同のコンテンツを再生するかどうかを尋ねる。
該ステップ５中において、もし他の第二ビデオ/オーディオデバイス30の使用者が該「シェアリング」提示を拒絶するなら、該「シェアリング」提示はある特定の時間後に消失する。該特定時間は5秒間などで、但しこれに限定しない。
該ステップ６中において、もし他の第二ビデオ/オーディオデバイス30の使用者が該「シェアリング」提示を受け入れるなら、該シェアキー331を押す。すると該ビデオ/オーディオデバイス10はステップ３中の使用者Aが現在表示しているビデオ、音楽、写真、ラジオ或いはデジタルテレビ放送などのデータを、使用者A、及び該「シェアリング」を受け入れた使用者に同時に伝送し、その表示パネル32或いは外付けモニター36上には使用者Aの表示パネル32或いは外付けモニター36と相同のコンテンツが表示される。
【００１７】
図９に示すように、本発明のナビゲーション地図とデータシェアリング方法は以下のステップを含む。
ビデオ/オーディオデバイス10を提供する (ステップ１)。
若干の第二ビデオ/オーディオデバイス30を提供する (ステップ２)。
使用者Aは該シェアキー331を押す(ステップ３)。
他の第二ビデオ/オーディオデバイス30の表示パネル32或いは外付けモニター36上にはそれぞれ「シェアリング」或いは類似の提示が出現する(ステップ４)。
もし他の第二ビデオ/オーディオデバイス30の使用者が該「シェアリング」提示を拒絶するなら、該「シェアリング」提示はある特定の時間後に消失する(ステップ５)。
もし他の第二ビデオ/オーディオデバイス30の使用者が該「シェアリング」提示を受け入れるなら、該シェアキー331を押す。すると該ビデオ/オーディオデバイスはシェアリングを提出した使用者Aが使用中のナビゲーション地図とデータを該「シェアリング」を受け入れた第二デバイス30に伝送し、その表示パネル32或いは外付けモニター36上には該使用者Aの表示パネル32と相同のコンテンツを表示する(ステップ６)。
【００１８】
該ステップ１中において、ビデオ/オーディオデバイス10を提供し、それはマイクロプロセッサー19、保存装置11、ネットワークインターフェース12を備え、道路ナビゲーションなどの少なくとも一項のシェアリングサービス項目を提供することができる。
該ネットワークインターフェース12は無線ネットワーク或いは有線ネットワークで、該ネットワークインターフェース12が無線ネットワークである時には、それはブルートゥース(Bluetooth)、802.11x WLANネットワーク、WiMax、Zigbee或いは他の類似技術である。
該ネットワークインターフェース12が有線ネットワークである時には、それはRJ-11、RJ-45/PoE、Power Line(HomePlug AV)、 USB ケーブル、1394 ケーブル、 MOST、 IDB-1394或いは他の類似技術である。
この他、該ビデオ/オーディオデバイス10はさらにハウジング15、印刷回路板16、保存装置11、マイクロプロセッサー19を備える。その詳情は上記説明を参照されたい。
【００１９】
該ステップ２中において、若干の第二ビデオ/オーディオデバイス30を提供し、それはデジタルビデオ/オーディオデコーディング装置34、ネットワークインターフェース31、表示パネル32或いはビデオ/オーディオアウトプットインターフェース35外付けのLCDモニター36は及び操作インターフェース33を備える。しかも該操作インターフェース33上にはシェアキー331を備える。
該ネットワークインターフェース31は無線ネットワーク或いは有線ネットワークで、それは該ネットワークインターフェース12と相同のプロトコルを備える。該表示パネル32或いはビデオ/オーディオアウトプットインターフェース35の外付けLCDモニター36は例えばLCD或いは他の平面モニター（但しこれに限定するものではない）で、自動車の中央制御ディスプレー或いは座席の後端に設置し、使用者が観賞可能とする。
該操作インターフェースはリモコン、タッチパネル或いはボタンで、本実施例中では、リモコンを例として説明するが、これに限定するものではない。
該シェアキー331により使用者は本発明のナビゲーション地図とデータシェアリングを起動することができる。
【００２０】
該ステップ３中において、使用者Aが現在ナビゲーション地図を使用している時には、該シェアキー331を押し、本発明のシェアリングメカニズムを起動する。すると、他の使用者は直ちに使用者Aと相同のナビゲーション地図とデータを見ることができる。
該ステップ４中において、他の第二ビデオ/オーディオデバイス30の表示パネル32、36上にはそれぞれ「シェアリング」(Sharing)或いは類似の提示が表示され、他の使用者に対して該シェアリングを受け入れ、相同のコンテンツを再生するかどうかを尋ねる。
該ステップ５中において、もし他の第二ビデオ/オーディオデバイス30の使用者が該「シェアリング」提示を拒絶するなら、該「シェアリング」提示はある特定の時間後に消失する。該特定時間は5秒間などで、但しこれに限定しない。
該ステップ６中において、もし他の第二ビデオ/オーディオデバイス30の使用者が該「シェアリング」提示を受け入れるなら、該シェアキー331を押す。すると該ビデオ/オーディオデバイス10はステップ３中で使用者Aが現在表示しているナビゲーション地図とデータを使用者A、及び該「シェアリング」を受け入れた使用者に同時に伝送し、該表示パネル32、36上には使用者Aの表示パネル32、36と相同のコンテンツが表示される。
よって、本発明カーナビゲーション地図シェアリング方法により、使用者Aは車両の運転者で、そのナビゲーションデータを他の使用者とシェアすることができる。一方、使用者Aは他の乗客で、ナビゲーション路線を予め計画し、結果を運転者に伝送しシェアすることができ、こうして運転者の路線ナビゲーションを助ける。こうして運転者が運転しながら路線サーチを操作或いは計画することを回避可能で、運転の安全性を向上させることができる。
【００２１】
本発明ビデオ/オーディオシステムシャットダウン前状態を記録可能な方法のフローチャートである図10に示すように、本発明のビデオ/オーディオシステムシャットダウン前状態を記録可能な方法は以下のステップを含む。
ビデオ/オーディオデバイス10を提供する (ステップ１)。
若干の第二ビデオ/オーディオデバイス30を提供する (ステップ２)。
使用者は該再生キー3332を押し、該ビデオ/オーディオデバイス10に対して該ビデオ/オーディオデータ再生サービスを請求する。すると該ビデオ/オーディオデバイス10はビデオ/オーディオデータ再生サービスを開始し、サービス監視を起動し、該第二ビデオ/オーディオデバイス30の再生状態を記録し続け、保存装置11に保存する(ステップ３)。
該第二ビデオ/オーディオデバイス30をシャットダウン後再起動する時、自動的に該ビデオ/オーディオデバイス10に対して、前回の該第二ビデオ/オーディオデバイス30シャットダウン点から該ビデオ/オーディオデータ再生サービスを継続するよう請求する。該ビデオ/オーディオデバイス10は該監視記録から該第二ビデオ/オーディオデバイス30のサービス監視記録を受け取り、該サービス監視記録に基づき、該第二ビデオ/オーディオデバイス30の前回シャットダウン点のビデオ/オーディオデータ再生サービスを継続し提供する(ステップ４)。
【００２２】
該ステップ１中において、ビデオ/オーディオデバイス10を提供し、それはマイクロプロセッサー19、保存装置11、ネットワークインターフェース12を備え、少なくとも一項のビデオ/オーディオデータ再生サービス項目を提供することができる。
該ネットワークインターフェース12は無線ネットワーク或いは有線ネットワークで、該ネットワークインターフェース12が無線ネットワークである時には、それはブルートゥース(Bluetooth)、802.11x WLANネットワーク、WiMax、Zigbee、或いは他の類似技術である。
該ネットワークインターフェース12が有線ネットワークである時には、それはRJ-11、RJ-45/PoE、Power Line(HomePlug AV)、 USB ケーブル、1394 ケーブル、 MOST、 IDB-1394或いは他の類似技術である。
この他、該ビデオ/オーディオデバイス10はさらにハウジング15、印刷回路板16、保存装置11、マイクロプロセッサー19を備える。その詳情は上記説明を参照されたい。
【００２３】
該ステップ２中において、若干の第二ビデオ/オーディオデバイス30を提供し、それはデジタルビデオ/オーディオデコーディング装置34、ネットワークインターフェース31、表示パネル32或いはビデオ/オーディオアウトプットインターフェース35の外付けLCDモニター36は及び操作インターフェース33を備える。しかも該操作インターフェース33上には再生キー3332を備える。
該ネットワークインターフェース31は無線ネットワーク或いは有線ネットワークで、それは該ネットワークインターフェース12と相同のプロトコルを備える。
該表示パネル32或いはビデオ/オーディオアウトプットインターフェース35の外付けLCDモニター36は例えばLCD或いは他の平面モニター(但しこれに限定するものではない)で、自動車の中央制御ディスプレー或いは座席の後端に設置し、使用者が観賞可能とする。
該操作インターフェース33はリモコン、タッチパネル或いはボタンである。
【００２４】
該ステップ３中において、該ビデオ/オーディオデバイス10はビデオ/オーディオデータ再生サービス時にサービス監視を起動し、すべての第二ビデオ/オーディオデバイス30の再生状態を記録し続け、保存装置11に保存する。
該保存装置11は上記の保存装置11など(但しこれに限定するものではない)の永久性保存装置である。
該ステップ４中において、該第二ビデオ/オーディオデバイス30はシャットダウン後再起動時に、自動的に該ビデオ/オーディオデバイス10に対して前回の該第二ビデオ/オーディオデバイス30シャットダウン点から該ビデオ/オーディオデータ再生サービスを継続するよう請求する。該ビデオ/オーディオデバイス10は該監視記録から該第二ビデオ/オーディオデバイス30のサービス監視記録を受け取り、該サービス監視記録に基づき、該第二ビデオ/オーディオデバイス30の前回シャットダウン点のビデオ/オーディオデータ再生サービスを継続し提供する。
よって、本発明のビデオ/オーディオシステムシャットダウン前状態を記録可能な方法により、該第二ビデオ/オーディオデバイス30はシャットダウン後に再起動する時、その表示パネル32はシャットダウン前の画面を表示し、再生を継続する。
上記は本発明の実施例に過ぎず、局部の変更或いは修飾は、本発明の技術思想に基づき、当該技術を熟知する者なら誰でも類推することができるため、本発明の特許範囲に含まれるものとする。
【図面の簡単な説明】
【００２５】
【図１】公知の自動車ビデオ/オーディオ再生システムの連接指示図である。
【図２】本発明分割及び独立再生とシェアリングシステムのブロックチャートである。
【図３】本発明別種の実施例の分割及び独立再生とシェアリングシステムのブロックチャートである。
【図４】本発明のビデオ/オーディオデバイスの組合せ指示図である。
【図５】本発明操作インターフェースの指示図である。
【図６】本発明自動車ビデオ/オーディオデータ分割及び独立再生方法のフローチャートである。
【図７】本発明自動車ビデオ/オーディオデバイスデータ分割及び独立再生の実体指示図である。
【図８】本発明自動車ビデオ/オーディオデータ再生シェアリング方法のフローチャートである。
【図９】本発明カーナビゲーションデータシェアリング方法のフローチャートである。
【図１０】本発明のビデオ/オーディオシステムシャットダウン前状態を記録可能な方法のフローチャートである。
【符号の説明】
【００２６】
10  ビデオ/オーディオデバイス
11  保存装置
12  ネットワークインターフェース
15  ハウジング
151  上ハウジング
1512  開口
1513  散熱フィン
152  下ハウジング
1521  挿入スロット
1522  退出ボタン
1523  連接板
1524  連接器
153  容置空間
16  印刷回路板
19  マイクロプロセッサー
30  第二ビデオ/オーディオデバイス
31  ネットワークインターフェース
32  表示パネル
33  操作インターフェース（リモコン）
331  シェアキー
332  数字キー
333  操作キー
3331  方向キー
3332  再生キー
335  リターンキー
34  デジタルビデオ/オーディオデコーディング装置
35  ビデオ/オーディオアウトプットインターフェース
36  外付けモニター（表示パネル）
80  本体
90  表示パネル
95  導線
【図１】
2008289128.tif 000003
【図２】
2008289128.tif 000004
【図３】
2008289128.tif 000005
【図４】
2008289128.tif 000006
【図５】
2008289128.tif 000007
【図６】
2008289128.tif 000008
【図７】
2008289128.tif 000009
【図８】
2008289128.tif 000010
【図９】
2008289128.tif 000011
【図１０】
2008289128.tif 000012
【外国語明細書】
2008289128000001.pdf